(57)【要約】      （修正有）【課題】内蔵式引出し滑りレール付き自動閉合装置の提供。【解決手段】一種の内蔵式引出し滑りレール付き自動閉合装置、滑り座、滑り駒、ばね、滑り鉤、弾性鋼シート、固定塊、連動部材などの構成要素を組み合わせて構成する。外滑りレールと連結した引出しを前側に繰り出すとき、その連動部材は弾性鋼シートの頂部により、滑り鉤の内側を滑り駒前段の外側に寄りつけると共に、該滑り鉤の旋軸に旋接する固定部材固定部を滑り駒もう一つの軸方向の側面孔を通過し、滑り座の側壁に備える切欠きに挿入し、固定部材の固定部は滑り座の係止め部により、確実に係止めておき、不注意による衝突で固定部は滑り座の係止め部から離れることを防止できるほか、滑り駒はばねの復帰力量で、引出しと連動して後側に摺動し、自動閉合を実現する。【選択図】図４
0003125651.tif 000002
【実用新案登録請求の範囲】
【請求項１】
滑り座を引出しの滑りレールがキャビネット体に締め付けて連結した内滑りレールの底部端面に設けて固定し、該滑り座の前側に滑り駒の直線摺動に備える底壁面および滑り駒を内側壁にて直線摺動を案内する側壁を設け、該側壁の前側に切欠きを設け、係止め部を形成するほか、該滑り座の底壁面に案内レールを設け、
滑り駒は、その上部壁面と内側壁により滑り座の前側にて、往復摺動でき、該滑り駒の前段は狭く後部につれて次第に広がり、後側に延ばして凹み壁を形成し、該凹み壁に旋軸を設け、滑り鉤の旋転溝と旋接して、滑り鉤の旋転に備える、該滑り駒の前段はさらに、横方向に貫通した横溝孔を設け、滑り駒の後段は固定溝を設け、ばねの一端を設ける、該ばねの他端は内滑りレールの底部端面の固定塊に備える固定溝に挿入し連結する、該滑り駒の上部壁面に案内溝を設け、滑り駒は案内溝により、滑り座の案内レールに沿って、往復に摺動でき、
滑り鉤後部の内側に旋転溝を設け、滑り駒の旋軸と旋接して旋転し、該滑り鉤の内側にノッチを設け、該ノッチは延ばして旋軸を設けて、固定塊一端の旋接孔と旋接し、該滑り鉤の外側は外部に開放する切欠きを設け、該切欠きの前側は前部挿入溝に連絡し、切欠きの側面は小さい切欠きに連絡し、該小さい切欠きの外側に延ばして後部当接塊を設け、該前部挿入溝と小さい切欠きに弾性鋼シートを挿入し、該切欠きの後側に支え壁を設け、
弾性鋼シートは前側屈折部、傾斜部、頂部および後側屈折部より構成し、前側屈折部を滑り鉤の前部挿入溝に挿入し、該前側屈折部の前側は外部に一定の距離を傾斜した傾斜部を設け、該傾斜部は前側から後側へ次第に傾斜し、該傾斜部の後側より内側に屈折し延ばして頂部を設け、該弾性鋼シートを滑り鉤の後部に挿入し、該頂部はさらに滑り鉤の支え壁と距離を置き、頂部の内側は前側に屈折し延ばして後側屈折部を設け、該後側屈折部により、滑り鉤の小さい切欠き外側に備える後部当接塊に当接し、
固定塊は旋接孔を備える旋接部および旋接部の一端に連結する狭い場所を有し、かつ、該狭い場所は延ばして閉合部に接続し、該旋接部の旋接孔により、滑り鉤のノッチに備える旋軸に旋接し、閉合部を滑り駒前側の横溝孔に挿入し、該閉合部の内側壁を前記の滑り座の側壁に近づけさせ、
連動塊は、引出しの滑りレールと引出しを締め付けて連結した外滑りレールの側壁に連結することを特徴とする内蔵式引出し滑りレール付き自動閉合装置。
【請求項２】
請求項１記載の内蔵式引出し滑りレール付き自動閉合装置において、該滑り鉤の前部挿入溝は複数の曲がり部を設け、弾性鋼シートの前部屈折部も複数の曲がり部を設けて、弾性鋼シートの前部屈折部を滑り鉤の前部挿入溝へ確実に挿入することを特徴とする内蔵式引出し滑りレール付き自動閉合装置。
【請求項３】
請求項１記載の内蔵式引出し滑りレール付き自動閉合装置において、該滑り座の後側に固定溝を設け、オイルシリンダーを取り付け、該オイルシリンダーに備える心軸の一端は、滑り駒後側に合せて設ける挿入溝に挿入し連結することを特徴とする内蔵式引出し滑りレール付き自動閉合装置。
【考案の詳細な説明】
【技術分野】
【０００１】
本考案は一種の内蔵式引出し滑りレール付き自動閉合装置に関わるものである。正常な使用状態において、自動閉合ができるほか、体積が小さく、スペースを取らない。さらに、滑り座は上蓋を不要のため、構成要素の簡素化及び組み立ての手間と時間を軽減できる。
【背景技術】
【０００２】
図１、図２に示すとおり、公知技術の引出しの滑りレール９の自動閉合装置は自動閉合座９１、ばね９２、滑り駒９３および内滑りレール９４に備える係止め部材９４１より構成する。
【０００３】
そのうち、ばね９２は自動閉合座９１のばね収容溝９１２に設ける。ばね９２を往復に引っ張られたとき、該ばね９２の内側はばね収容溝９１２の内壁面と摩擦するため、時間経過後、ばね９２は変形または弾性疲労を引き起こす。さらに、自動閉合座９１を外滑りレール９５に固定されているため、ばね９２の故障により、修理または交換するときに困難がある。なお、滑り駒９３は２本の案内棒９３１、９３２を自動閉合座９１の滑り溝９１１にて往復に摺動する。滑り溝９１１の側面に屈折して係止め溝９１１１を形成し、前記の滑り駒９３に備える案内棒９３１を係止める。しかしながら、利用者は引出し収容物を整理するとき、不注意により引出しにぶつかると、滑り駒９３の案内棒９３１は滑り溝９１１の係止め溝９１１１を離れて、滑り駒９３を引き離して、ばね９２の力により、後側に摺動し、異常な作動を引き起こす。このため、開いた引出しを戻すときに、自動閉合機能が失われるや、または引出しを末端部に戻すことができなくなり、利用者の悩みとなる。一方、特許文献１、特許文献２および特許文献３においてもこのような欠点がある。さらに、前記したばね９２の一端は案内棒９３１外側に掛けているため、水平方向の往復摺動ができない。よって、滑り駒９３は順調に移動することができない。ばね９２も時間経過に破損する恐れがある。また、該滑り駒９３はばね９２により、引き戻す力量が大きいため、振動を引き起すほか、滑り駒９３の移動も順調に行えない。
【０００４】
【特許文献１】米国特許第５，２０７，７８１号明細書
【特許文献２】米国特許第５，３０２，０１６号明細書
【特許文献３】PCT特許第Ｗ００１／８２７９Ａ２号明細書
【考案の開示】
【考案が解決しようとする課題】
【０００５】
本考案の主な目的は、外滑りレールは前側に繰り出されたとき、該連動塊は弾性鋼シートに押さえながら、滑り鉤の内側を滑り駒に近づけさせる。該滑り鉤の旋軸に旋接された固定塊の閉合部は滑り駒の軸方向の向かい側の横溝孔を通過して、滑り座の側壁に備える切欠きに挿入し、固定塊の閉合部は滑り座の係止め部により確実に係止められるため、不注意によるぶつかりで、閉合部が滑り座の係止め部から抜け出すことを防止し、自動閉合機能の正常稼働の確保を図る、一種の内蔵式引出し滑りレール付き自動閉合装置を提供する。
【０００６】
本考案の次の目的は、該滑り駒、滑り鉤、ばね、固定塊などの構成要素を組み合わせた後の体積が小さく、スペースを取らない。自由に使用できるほか、滑り座は上蓋不要のため、構成要素の簡素化を実現し、コストと時間の軽減を図る、一種の内蔵式引出し滑りレール付き自動閉合装置を提供する。
【０００７】
本考案のさらなる一つの目的は、使用するとき、ばねは外部に露出し、滑り座との摩擦を避け、ばねの毀損率を軽減できる。さらに、ばねを外部に露出することにより、取り外し交換および組み立ての便利を実現する、一種の内蔵式引出し滑りレール付き自動閉合装置を提供する。
【０００８】
本考案のもう一つの目的は、滑り鉤は滑り駒と旋接した上、滑り駒はさらに、ばねと接続する。これにより、滑り駒の往復摺動はより順調のほか、滑り駒はさらにオイルシリンダーと接続し、緩衝の働きにより、騒音の低減を図る、一種の内蔵式引出し滑りレール付き自動閉合装置を提供する。
【課題を解決するための手段】
【０００９】
請求項１の考案は、滑り座を引出しの滑りレールがキャビネット体に締め付けて連結した内滑りレールの底部端面に設けて固定し、該滑り座の前側に滑り駒の直線摺動に備える底壁面および滑り駒を内側壁にて直線摺動を案内する側壁を設け、該側壁の前側に切欠きを設け、係止め部を形成するほか、該滑り座の底壁面に案内レールを設け、
滑り駒は、その上部壁面と内側壁により滑り座の前側にて、往復摺動でき、該滑り駒の前段は狭く後部につれて次第に広がり、後側に延ばして凹み壁を形成し、該凹み壁に旋軸を設け、滑り鉤の旋転溝と旋接して、滑り鉤の旋転に備え、該滑り駒の前段はさらに、横方向に貫通した横溝孔を設け、滑り駒の後段は固定溝を設け、ばねの一端を設け、該ばねの他端は内滑りレールの底部端面の固定塊に備える固定溝に挿入し連結し、該滑り駒の上部壁面に案内溝を設け、滑り駒は案内溝により、滑り座の案内レールに沿って、往復に摺動でき、
滑り鉤後部の内側に旋転溝を設け、滑り駒の旋軸と旋接して旋転し、該滑り鉤の内側にノッチを設け、該ノッチは延ばして旋軸を設けて、固定塊一端の旋接孔と旋接し、該滑り鉤の外側は外部に開放する切欠きを設け、該切欠きの前側は前部挿入溝に連絡し、切欠きの側面は小さい切欠きに連絡し、該小さい切欠きの外側に延ばして後部当接塊を設け、該前部挿入溝と小さい切欠きに弾性鋼シートを挿入し、該切欠きの後側に支え壁を設け、
弾性鋼シートは前側屈折部、傾斜部、頂部および後側屈折部より構成し、前側屈折部を滑り鉤の前部挿入溝に挿入し、該前側屈折部の前側は外部に一定の距離を傾斜した傾斜部を設け、該傾斜部は前側から後側へ次第に傾斜し、該傾斜部の後側より内側に屈折し延ばして頂部を設け、該弾性鋼シートを滑り鉤の後部に挿入し、該頂部はさらに滑り鉤の支え壁と距離を置き、頂部の内側は前側に屈折し延ばして後側屈折部を設け、該後側屈折部により、滑り鉤の小さい切欠き外側に備える後部当接塊に当接し、
固定塊は旋接孔を備える旋接部および旋接部の一端に連結する狭い場所を有し、かつ、該狭い場所は延ばして閉合部に接続し、該旋接部の旋接孔により、滑り鉤のノッチに備える旋軸に旋接し、閉合部を滑り駒前側の横溝孔に挿入し、該閉合部の内側壁を前記の滑り座の側壁に近づけさせ、
連動塊は、引出しの滑りレールと引出しを締め付けて連結した外滑りレールの側壁に連結することを特徴とする内蔵式引出し滑りレール付き自動閉合装置としている。
請求項２の考案は、請求項１記載の内蔵式引出し滑りレール付き自動閉合装置において、該滑り鉤の前部挿入溝は複数の曲がり部を設け、弾性鋼シートの前部屈折部も複数の曲がり部を設けて、弾性鋼シートの前部屈折部を滑り鉤の前部挿入溝へ確実に挿入することを特徴とする内蔵式引出し滑りレール付き自動閉合装置としている。
請求項３の考案は、請求項１記載の内蔵式引出し滑りレール付き自動閉合装置において、該滑り座の後側に固定溝を設け、オイルシリンダーを取り付け、該オイルシリンダーに備える心軸の一端は、滑り駒後側に合せて設ける挿入溝に挿入し連結することを特徴とする内蔵式引出し滑りレール付き自動閉合装置としている。
【考案の効果】
【００１０】
本考案は以下の向上効果を有する。
（１）  外滑りレール６２は連結された引出しと合せて前側に繰り出した後、連動塊６２１１は弾性鋼シート４の頂部４３に押さえながら、滑り鉤３の内側を滑り駒２前段の外側２４に近づけて、該滑り鉤３の旋軸３２１によって旋接された固定塊５の閉合部５３を連動して滑り駒２もう一つの軸方向の横溝孔２５を通過して、滑り座１の側壁１２に備える切欠き１２１に挿入する。固定塊５の閉合部５３は滑り座１の係止め部１２１１によって、確実に係止めて、不注意によるぶつかりで、閉合部５３が滑り座１の係止め部１２１１を離すことを避けるほか、外滑りレール６２と引出しが合せて後側に繰り戻すとき、連動塊６２１１は滑り鉤３の支え壁３４に押さえることにより、滑り鉤３は外側に旋転して、固定塊５を連動し滑り座１の係止め部１２１１を離す。滑り駒２はばね８の復帰力量により、後部に摺動するほか、滑り鉤３に備える弾性鋼シート４も外滑りレール６２の連動塊６２１１に押さえながら、引出しと合せて後側に摺動し、自動閉合の動作を確実に実現できる。
（２）  滑り駒、滑り鉤３、ばね８、固定塊５などの構成要素を滑り座１に組み立てた後の体積が小さく、スペースを取らないため、スペースの有効利用ができるほか、滑り座１は上蓋不要のため、構成要素を簡素化及び組み立て作業の手間と時間を軽減できる。
（３）  不注意によるぶつかりや地震発生により、外滑りレール６２が引出しに連動して後側に摺動するとき、滑り鉤３が合せて旋転して外側に向かうことができない場合、利用者は連動塊６２１１を後側へ引き続きに押すことにより、弾性鋼シート４の傾斜部４２を直接に圧迫し、傾斜部４２、頂部４５と後側屈折部４４と合せて内側に引き込むことにより、連動塊６２１１を傾斜部４２に通過させ、連動塊６２１１を弾性鋼シート４の頂部４３と滑り鉤３の支え壁３４の間に戻して、外滑りレール６２により、引出しと合せてもとの位置に戻して、閉合操作を終了する。
（４）  ばね８は滑り座１から露出することにより、ばね８を往復に引き延ばしと戻すときは、滑り座１と摩擦しないため、ばね８の毀損率を軽減できるほか、ばね８を露出することにより、取り外し交換および組み立てが便利に行える。
（５）  滑り鉤３と滑り駒２を旋接した後、滑り駒２とばね８を接続することにより、滑り駒２の往復摺動をより順調に行える。緩衝効果を図るため、滑り駒２はさらに、オイルシリンダー１０に接続し、騒音を低減できる。
【考案を実施するための最良の形態】
【００１１】
図３〜図１４に示すものは、本考案による一種の内蔵式引出し滑りレール付き自動閉合装置である。滑り座１の前後部に備える固定孔１４、１５は固定部材１６、１７により、引出しの滑りレール６（図１３）とキャビネット体（図示していない）を締め付けて連結する内滑りレール６１の底部端面６１１に固定する。該滑り座１の前側に滑り駒２が直線方向に摺動する底壁面１１（図５）、および滑り駒２に備える２２の直線摺動を案内する側壁１２を設け、該側壁１２の前側に切欠き１２１を設けて、係止め部１２１１を形成する。
【００１２】
滑り駒２はその上部壁面２１と内側壁２２を介して、滑り座１の前側にて、往復に摺動する。該滑り駒２の前部が狭く後部につれて次第に広がり、後側に凹み壁２３を延ばして設ける。該凹み壁２３（図５）は延ばして旋軸２３１を設けて、滑り鉤３の旋転溝３１と旋接することにより、滑り鉤３の旋転に備える。該滑り駒２の前段はさらに横方向に貫通した横溝孔２５を設け、滑り駒２の後段に固定溝２６を設けて、ばね８の一端８１を固定する。該ばね８の他端８２は内滑りレール６１の底部端面６１１に備える固定塊２８の固定溝２８１に挿入し接続する。
【００１３】
滑り鉤３後部の内側に旋転溝３１を設け、滑り駒２の旋軸２３１と旋接する。該滑り鉤３の内側にノッチ３２を設け、該ノッチ３２は延ばして旋軸３２１（図８）を設けて、固定塊５一端の旋接孔５１１と旋接する。該滑り鉤３の外側は外部に開放する切欠き３３を設け、該切欠き３３の前側は前部挿入溝３３１（図７）に連絡する。切欠き３３の側面は小さい切欠き３３２に連絡し、該小さい切欠き３３２の外側に延ばして後部当接塊３３３を設ける。該前部挿入溝３３１と小さい切欠き３３２に弾性鋼シート４を挿入し、該切欠き３３の後側に支え壁３４を設ける。
【００１４】
弾性鋼シート４は前側屈折部４４、傾斜部４２、頂部４３および後側屈折部４４より構成する。前側屈折部４１を滑り鉤３の前部挿入溝３３１に挿入する。該前側屈折部４１の前側は外部に一定の距離を傾斜した傾斜部４２を設け、該傾斜部４２は前側から後側へ次第に傾斜する。該傾斜部４２の後側より内側に屈折し延ばして頂部４３を設ける。該弾性鋼シート４を滑り鉤３の後部に挿入し、該頂部４３はさらに滑り鉤３の支え壁３４と距離を置き、頂部４３の内側は前側に屈折し延ばして後側屈折部４４を設ける。該後側屈折部４４により、滑り鉤３の小さい切欠き３３２外側に備える後部当接塊３８３（図９）に当接する。
【００１５】
固定塊５は旋接孔５１１を備える旋接部５１および旋接部５１の一端に連結する狭い場所５２を有し、かつ、該狭い場所５２は延ばして閉合部５３に接続する。該旋接部５１の旋接孔５１１により、滑り鉤３のノッチ３２に備える旋軸３２１に旋接し、閉合部５３を滑り駒２前側の横溝孔２５に挿入し、該閉合部５５の内側壁５３１を前記の滑り座１の側壁１２に近づけさせる。
【００１６】
連動塊６２１１（図９、図１０、図１１、図１３）は引出しの滑りレール６と引出し（図示していない）に締め付けて連結する滑りレール６２の側壁６２１に連結固定する。
【００１７】
前記の構成要素を組み合わせることにより、外滑りレール６２に連結された引出しを前側に繰り出すとき、その連動塊６２１１は弾性鋼シート４の頂部４３（図１１）に押さえて、滑り鉤３は滑り駒２と連動して前側に摺動し、該滑り駒２の横溝孔２５が滑り座１の側壁１２に備える切欠き１２１に来たとき、連動塊６２１１が弾性鋼シート４頂部４３に押える力は滑り鉤３を連動し、内側への旋転力に変わり、滑り鉤３の内側を滑り駒２前段の外側２４に近づけると同時に、該滑り鉤３の旋軸３２１によって旋接された固定塊５の閉合部５３を滑り座１の側壁１２に備える切欠き１２１に挿入することにより、固定塊５は滑り座１の係止め部１２１１によって、係止める。さらに、滑り鉤３は内側への旋転につれて、弾性鋼シート４の頂部４３は連動塊６２１１より離れて、連動塊６２１１は引出しと共に引き続きに前側に繰り出す。これに対して、外滑りレール６２が連結された引出しと共に、後側へ摺動するとき、その連動塊６２１１は滑り鉤３に備える支え壁３４の外側に押さえることにより、滑り鉤３はその勢いで外側に旋転して、固定塊５の閉合部５３を連動して滑り座１の側壁１２に備える係止め部１２１１を引き離し、滑り駒２の横溝孔２５（図１０）に引込む。一方、滑り駒２はばね８の弾性復帰力量により、後側へ摺動させ、滑り鉤３に備える弾性鋼シート４の頂部４３は後側へ移動して、連動塊６２１１および連動塊６２１１と連結された外滑りレール６２に押させて、後部に摺動し（図１１）、自動閉合の目的を図る。
【００１８】
さらに、前記の滑り鉤３の前部挿入溝３３１に複数の曲がり部を設け、弾性鋼シート４の前側屈折部４１も合せて複数の曲がり部を設けて、弾性鋼シート４の前側屈折部４１を滑り鉤３の前部挿入溝３３１へ確実に挿入する。
【００１９】
不注意によるぶつかりや地震発生により、外滑りレール６２が引出しに連動して後側に摺動するとき、滑り鉤３が合せて旋転して外側に向かうことができない場合、利用者は連動塊６２１１を後側へ引き続きに押すことにより、弾性鋼シート４の傾斜部４２を直接に圧迫し、傾斜部４２、頂部４５と後側屈折部４４と合せて内側に引き込む（図１２）ことにより、連動塊６２１１を傾斜部４２に通過させ、連動塊６２１１を弾性鋼シート４の頂部４３と滑り鉤３の支え壁３４の間に戻して、外滑りレール６２により、引出しと合せてもとの位置に戻して、閉合操作を終了する。
【００２０】
なお、前記の滑り座１の後側は、オイルシリンダー１０を取り付けるための固定溝１３を設ける。該オイルシリンダー１０に備える心軸１０１の一端１０１１は滑り駒２後側に設ける取付溝２７（図１４）へ挿入し連結する。前記の滑り駒２はばね８の弾性復帰力量により、後側に戻し摺動するとき、該滑り駒２に備えるオイルシリンダー１０の心軸１０１に連動してオイルシリンダー１０の本体に引込み、滑り駒２の復帰抵抗力を軽減することにより、滑り駒２と外滑りレール６２によって連結された引出しの復位の速度を低下し、緩衝の働きを有するほか、引出しが後側に戻すときに騒音を低減し、構成部品の破損を減少し、使用寿命を延長する。
【００２１】
また、前記の滑り座１の底壁面１１はさらに、案内レール１１１を設け、滑り駒２が案内溝２１１により、滑り座１の案内レール１１１に沿って往復摺動するため、滑り駒２の上部壁面２１に案内溝２１１を設けても良い。
【図面の簡単な説明】
【００２２】
【図１】公知技術の引出しによる自動閉合装置の局部立体図である。
【図２】公知技術の引出しによる自動閉合装置の側面概略図である。
【図３】本考案の好ましい実施例による立体概略図である。
【図４】本考案の好ましい実施例による立体組合せ図である。
【図５】本考案の好ましい実施例によるもう一つ角度の立体分解図である。
【図６】本考案の好ましい実施例によるもう一つ角度の立体組合せ図である。
【図７】本考案の好ましい実施例における滑り鉤の立体拡大図である。
【図８】本考案の好ましい実施例における滑り鉤もう一つ角度の立体拡大図である。
【図９】本考案の好ましい実施例における固定塊は滑り座に備える係止め部に係止められた状態の平面概略図である。
【図１０】本考案の好ましい実施例における固定塊は滑り座に備える係止め部より引き離した状態の底面概略図である。
【図１１】本考案の好ましい実施例における滑り駒と滑り鉤が後側に復帰した後の底面概略図である。
【図１２】本考案の好ましい実施例における滑り鉤に備える弾性鋼シートは外滑りレールの連動塊によって、圧迫された状態の概略図である。
【図１３】本考案の好ましい実施例による引出しの滑りレールの立体概略図である。
【図１４】本考案の好ましい実施例における滑り鉤の背面図である。
【符号の説明】
【００２３】
９  滑りレール
９１  自動閉合座
９１１  滑り溝
９１１１  係止め溝
９１２  収容溝
９２  ばね
９３  滑り駒
９３１，９３２  案内棒
９４  内滑りレール
９４１  係止め部材
１  滑り座
１０  オイルシリンダー
１０１  心軸
１０１１  一端
１１  底壁面
１１１  案内レール
１２  側壁
１２１  切欠き
１２１１  係止め部
１３  固定溝
１４、１５  固定孔
１６、１７  固定部材
２  滑り駒
２１  上部壁面
２１１  案内溝
２２  内側壁
２３  凹み壁
２３１  旋軸
２５  横溝孔
２６  固定溝
２７  取付溝
２８  固定塊
２８１  固定溝
３  滑り鉤
３１  旋転溝
３２  ノッチ
３２１  旋軸
３３  切欠き
３３１  前部挿入溝
３３２  小さい切欠き
３３３  後部当接塊
３４  支え壁
３８３  後部当接塊
４  弾性鋼シート
４１  前側屈折部
４２  傾斜部
４３  頂部
４４  後側屈折部
４５  頂部
５  固定塊
５１  旋接部
５１１  旋接孔
５２  狭い場所
５３  閉合部
５３１  内側壁
５５  閉合部
６  滑りレール
６１  内滑りレール
６１１  底部端面
６２  外滑りレール
６２１  側壁
６２１１  連動塊
８  ばね
８１  一端
８２  他端
【図１】
0003125651.tif 000003
【図２】
0003125651.tif 000004
【図３】
0003125651.tif 000005
【図４】
0003125651.tif 000006
【図５】
0003125651.tif 000007
【図６】
0003125651.tif 000008
【図７】
0003125651.tif 000009
【図８】
0003125651.tif 000010
【図９】
0003125651.tif 000011
【図１０】
0003125651.tif 000012
【図１１】
0003125651.tif 000013
【図１２】
0003125651.tif 000014
【図１３】
0003125651.tif 000015
【図１４】
0003125651.tif 000016